(57)【要約】【課題】ベッドにおける就寝時にペットに接する部分の通気性を適切に確保すると共に、ペットの本来の体型を崩すことなくベッド上においてペットを就寝させるようにする。【解決手段】主クッション部１００と、主クッション部１００の上面を覆うように配される通気クッション部２００と、主クッション部１００と通気クッション部２００とを覆うカバー３００とを備えている。通気クッション部２００は、通気性を備えると共に、この通気性を確保しつつペットの体型に倣って凹む特性を備えた最上層２０１と、マイナスイオンを生じさせる物質を備えた内層２０２とを備えて構成されている。【選択図】　　図１
2004016145.tif 000002
【特許請求の範囲】
【請求項１】
主クッション部と、
この主クッション部の上面を覆うように配される通気クッション部と、
この主クッション部と通気クッション部とを覆うカバーとを備えており、
通気クッション部は、
通気性を備えると共に、この通気性を確保しつつペットの体型に倣って凹む特性を備えた最上層と、
マイナスイオンを生じさせる物質を備えた内層とを備えて構成されていることを特徴とするペット用ベッド。
【請求項２】
上面の縁部に、この縁部を巡る隆起部を備えるように形成されていることを特徴とする請求項１記載のペット用ベット。
【請求項３】
主クッション部と、
この主クッション部の上面を覆うように配される通気クッション部と、
この主クッション部と通気クッション部とを覆うカバーとを備えるベッド本体と、
このベッド本体の入れ込み凹部を備えたこのベッド本体の保持体とを備えており、
ベッド本体の通気クッション部は、
通気性を備えると共に、この通気性を確保しつつペットの体型に倣って凹む特性を備えた最上層と、
マイナスイオンを生じさせる物質を備えた内層とを備えており、
ベッド本体の保持体は、
入れ込み凹部を巡る上縁部を、ベッド本体の上面より上方に位置させるように構成されていることを特徴とするペット用ベッド。
【請求項４】
ベッド本体の保持体の側部の一部に、入れ込み凹部に連通する側方開放部が形成してあることを特徴とする請求項３記載のペット用ベッド。
【発明の詳細な説明】
【０００１】
【発明の属する技術分野】
この発明は、犬や猫などのペット用のベッドの改良に関する。
【０００２】
【従来の技術】
従来より、ペットの寝床として用いられるベッドないしはマットが提案されているが、従来のこれらのベッドなどはそのクッション性以外の点については格別の配慮が払われていなかった。
【０００３】
【発明が解決しようとする課題】
ペットとしてもっともポピュラーな犬や猫などは、発汗による体温調整ができない。このため、これらの寝床となるベッドにおいては、少なくともペットが乗り上がるベッド上面側において適度な通気性が確保されているべきである。また、ベッドへの臭いの滞留などをできる限り少なくする観点からも、こうした通気性が確保されているべきである。
【０００４】
また、こうしたベッドを単純に一様なクッション材によって形成してしまうと、ペットの体重によってベッド上部が一律に窪み込んでしまい、ペットの本来の体型を崩すことなくベッド上においてペットを就寝させることができない。こうした事態は、ペットの寝心地を悪くすると共に、長期的にはペットの健康を損なう結果を生じさせるものと考えられる。
【０００５】
そこでこの発明は、この種のペット用のベッドにおいて、ベッドにおける就寝時にペットに接する部分の通気性を適切に確保すると共に、ペットの本来の体型を崩すことなくベッド上においてペットを就寝させるようにし、さらに、この種のベッドに、ペットの就寝時の環境をより向上させる機能を備えさせるようにすることを主たる目的とする。
【０００６】
【課題を解決するための手段】
前記目的を達成するために、請求項１記載の発明にあっては、ペット用ベッドが以下の（１）〜（４）の構成を備えたものとした。
（１）主クッション部と、
（２）この主クッション部の上面を覆うように配される通気クッション部と、
（３）この主クッション部と通気クッション部とを覆うカバーとを備えており、
（４）通気クッション部は、
通気性を備えると共に、この通気性を確保しつつペットの体型に倣って凹む特性を備えた最上層と、
マイナスイオンを生じさせる物質を備えた内層とを備えて構成されている。
【０００７】
かかる構成によれば、前記最上層は、ペットの体型に倣って凹む特性を備えていることから、体圧分散効果を有し、ペットの寝心地を心地よいものとすることができる。かかる最上層は、典型的には、プラスチックないしはゴムによって構成することができる。
【０００８】
また、かかる最上層は、通気性を有することから、ベッド上に乗ったペットの体温を蓄えることがなく、発汗による体温調整ができない犬猫などのペットに心地よい寝心地を付与することができる。
【０００９】
また、前記内層は、マイナスイオンを生じさせる物質を備えていることから、それ自体クッション性を有すると共に、生じるマイナスイオンによってペットの就寝時の環境を良好なものとすることができ、ペットの健康維持に好ましい影響を与えることができる。かかる内層は、典型的には、発泡プラスチックにより構成することができる。
【００１０】
また、請求項２記載の発明にあっては、請求項１記載のペット用ベッドがさらに、その上面の縁部に、この縁部を巡る隆起部を備えるように形成されていることを特徴としている。
【００１１】
かかる構成によれば、ベッド上に乗ったペットがこの隆起部に凭れかかって就寝することができ、ペットに安心感を与えることができる。
【００１２】
また、請求項３記載の発明にあっては、ペット用ベッドが以下の（１）〜（４）の構成を備えたものとした。
（１）主クッション部と、
この主クッション部の上面を覆うように配される通気クッション部と、
この主クッション部と通気クッション部とを覆うカバーとを備えるベッド本体と、
（２）このベッド本体の入れ込み凹部を備えたこのベッド本体の保持体とを備えており、
（３）ベッド本体の通気クッション部は、
通気性を備えると共に、この通気性を確保しつつペットの体型に倣って凹む特性を備えた最上層と、
マイナスイオンを生じさせる物質を備えた内層とを備えており、
（４）ベッド本体の保持体は、
入れ込み凹部を巡る上縁部を、ベッド本体の上面より上方に位置させるように構成されている。
【００１３】
かかる構成によれば、ベッド本体の前記最上層は、ペットの体型に倣って凹む特性を備えていることから、体圧分散効果を有し、ペットの寝心地を心地よいものとすることができる。かかる最上層は、典型的には、プラスチックないしはゴムによって構成することができる。
【００１４】
また、かかる最上層は、通気性を有することから、ベッド上に乗ったペットの体温を蓄えることがなく、発汗による体温調整ができない犬猫などのペットに心地よい寝心地を付与することができる。
【００１５】
また、ベッド本体の前記内層は、マイナスイオンを生じさせる物質を備えていることから、それ自体クッション性を有すると共に、生じるマイナスイオンによってペットの就寝時の環境を良好なものとすることができ、ペットの健康維持に好ましい影響を与えることができる。かかる内層は、典型的には、発泡プラスチックにより構成することができる。
【００１６】
また、ベッド上に乗ったペットが前記ベッド本体の上面より上方に位置される入れ込み凹部の上縁部に凭れかかって就寝することができ、ペットに安心感を与えることができる。
【００１７】
また、請求項４記載の発明にあっては、請求項３記載のペット用ベッドにおける、ベッド本体の保持体の側部の一部に、入れ込み凹部に連通する側方開放部が形成してあることを特徴としている。
【００１８】
かかる構成によれば、かかる側方開放部を利用してベッド本体の上にペットが乗り込み易く、特に、老齢の犬猫などのペットでもベッド本体上に支障なく乗り込めるようにすることができる。
【００１９】
【発明の実施の形態】
以下、図１ないし図９に基づいて、この発明の典型的な実施の形態について説明する。
【００２０】
なお、ここで図１は、ペット用ベッド１の一構成例を示しており、図２は、図１における構成例における主クッション部１００をポケットコイル１０１によって構成した例を示している。
【００２１】
また、図３は、図１に示される構成例と形状を異ならせるペット用ベッド１の他の構成例を示している。
【００２２】
また、図４ないし図９は、ベッド本体２とこのベッド本体２の保持体３とから構成されるペット用ベッド１を示すものであり、図４ないし図６は、かかるベッド本体２を、図７及び図８は、かかる保持体３を、図９は、この両者を組み合わせた状態を、それぞれ示している。
【００２３】
この実施の形態にかかるペット用ベッド１は、犬や猫などのペットの寝床として用いられるものである。
【００２４】
かかるベッド１は、
（１）主クッション部１００と、
（２）この主クッション部１００の上面を覆うように配される通気クッション部２００と、
（３）この主クッション部１００と通気クッション部２００とを覆うカバー３００とを備えている。
また、
（４）通気クッション部２００は、
通気性を備えると共に、この通気性を確保しつつペットの体型に倣って凹む特性を備えたプラスチックを主材料とした最上層２０１と、
マイナスイオンを生じさせる物質を備えた発泡プラスチック製の内層２０２とを備えて構成されている。
【００２５】
主クッション部１００は、高通気ウレタンや、いわゆるポケットコイル１０１によって構成することができる。
【００２６】
ポケットコイル１０１は、複数のスプリング１０２、１０２…を、各スプリング１０２、１０２…の巻回軸線を上下方向に配させ、かつ、並列させた状態で、これらのスプリング１０２を不織布などの外被体１０３によって包み込むと共に、隣り合うスプリング１０２、１０２間においてこの外被体１０３の両面を溶着などによって止着させ合わせて、各スプリング１０２、１０２…がそれぞれ独立した気室１０４内に納められるようにして構成されたクッション体である。
【００２７】
図２に示される例にあっては、このように構成される複数のポケットコイル１０１、１０１…を、隣り合うポケットコイル１０１、１０１の側部同士を接着させ合わせるようにして組み合わせることにより、一定の上下面を備えた主クッション部１００を構成させている。
【００２８】
主クッション部１００をポケットコイル１０１により構成させた場合、内蔵されている各スプリング１０２、１０２…はそれぞれ独立してペットの各部から加わる荷重を支えることから、ペットがベッド１上に乗った場合にベッド１の上面が一律に下方に凹んでしまうことがなく、就寝時のペットの体型に倣うようにベッドの上面を凹ませることができることから（いわゆる、体圧分散効果）ペットの寝心地を心地よいものとすることができる。
【００２９】
主クッション部１００を高通気ウレタンにより構成させた場合には、ベッド１の押し洗いなどが可能となることから、ベッド１の衛生的な状態を維持し易くなる。
【００３０】
通気性を備えると共に、この通気性を確保しつつペットの体型に倣って凹む特性を備えたプラスチックを主材料とした最上層２０１、すなわち、通気クッション部２００を構成する最上層２０１としては、
例えば、熱可塑性樹脂の線条をループ状にして重ね合わせて形成される３次元構造体（東洋紡績株式会社製のブレスエアーと称するクッション材（ブレスエアーは東洋紡績株式会社の商標である。））や、
カールなどした樹脂製の繊維を積層させたものに発泡樹脂やゴムを含浸させて固化させて形成される３次元構造体（東亜紡織株式会社製の商品名をカールロックと称するクッション材）などを用いることができる。
【００３１】
かかる最上層２０１は、ペットの体重によって一律に凹むのではなく、ペットの各部から加わる荷重によって、荷重が大きく加わる箇所では深く、また、荷重が大きく加わらない箇所では浅く凹む特性、すなわち、ペットの体型に倣って凹む特性を備えていることから、体圧分散効果を有し、ペットの寝心地を心地よいものとすることができる。
【００３２】
また、かかる最上層２０１は、通気性を有し、また、この通気性を確保しつつペットの体型に倣って凹む特性、つまり、一定の「硬さないしこわさ」を有していることから、ベッド上に乗ったペットの体温を蓄えることがなく、発汗による体温調整ができない犬猫に心地よい寝心地を付与することができる。
【００３３】
通気クッション部２００を構成する内層２０２は、例えば、粒状又は粉状にしたマイナスイオンを生じさせる物質を含んだバインダー材などを、高通気ウレタンなどの発泡プラスチックに塗布することにより、構成することができる。
【００３４】
また、かかる内層２０２は、例えば、粒状又は粉状にしたマイナスイオンを生じさせる物質を含んだバインダー材などに、高通気ウレタンなどの発泡プラスチックを浸漬することにより、構成することができる。
【００３５】
また、かかる内層２０２は、例えば、粒状又は粉状にしたマイナスイオンを生じさせる物質を練り込んだプラスチックによって、発泡プラスチック製のシート状体あるいはマット状体を形成することにより、構成することができる。
【００３６】
かかるマイナスイオンを生じさせる物質としては、例えば、トルマリンなどの鉱物を用いることができる。
【００３７】
かかる内層２０２は、マイナスイオンを生じさせる物質を備えた発泡プラスチック製であることから、それ自体クッション性を有すると共に、生じるマイナスイオンによってペットの就寝時の環境を良好なものとすることができ、ペットの健康維持に好ましい影響を与えることができる。
【００３８】
また、前記カバー３００によって、主クッション部１００と通気クッション部２００とを外観性高く一体化した状態で覆うことができる。
【００３９】
かかるカバー３００を、抗菌性、防臭性及び防虫性の一又は二以上を備えた生地により構成しておけば、ベッドの衛生的な状態を維持し易くなる。
【００４０】
また、かかるカバー３００に、ファスナーなどで閉じ合わされる開口部（図示は省略する。）を設け、この開口部から主クッション部１００と通気クッション部２００を取り出せるようにしておけば、カバー３００自体の洗浄や日干しなどのメンテナンスや、この主クッション部１００と通気クッション部２００のメンテナンスを容易に行うことができる。
【００４１】
かかる主クッション部１００と通気クッション部２００とは、主クッション部１００の上面に通気クッション部２００の下面を接着などすることにより、一体化させることができる。
【００４２】
図３は、このように構成されるベッド１の上面の縁部に、この縁部を巡る隆起部１ａを備えさせた例を示している。
【００４３】
このようにした場合、ベッド１上に乗ったペットがこの隆起部に凭れかかって就寝することができ、ペットに安心感を与えることができる。
【００４４】
かかる隆起部１ａは、典型的には、主クッション部１００の上面の縁部に、この縁部を巡る隆起部１０５を備えさせるように、この主クッション部１００を成形することにより、形成させることができる。
【００４５】
また、図４ないし図９は、以上に説明した主クッション部１００と、通気クッション部２００と、カバー３００とを備えるベッド本体２と、
このベッド本体２の入れ込み凹部３ａを備えたこのベッド本体２の保持体３とからベッド１を構成させた例を示している。
【００４６】
かかるベッド本体２の保持体３は、入れ込み凹部３ａを巡る上縁部を、ベッド本体２の上面より上方に位置させるように構成されている。
【００４７】
このようにした場合には、ベッド１上に乗ったペットがこのベッド本体２の上面より上方に位置される入れ込み凹部３ａの上縁部に凭れかかって就寝することができ、ペットに安心感を与えることができる。
【００４８】
また、入れ込み凹部３ａの内面と外面との間の寸法を調整することにより、ベッド本体２を変更することなく、ペットの種類、大きさに応じた大きさを備えたベッド１を構成させることができる。
【００４９】
また、ベッド本体２の硬さを調整することにより、保持体３を変更することなく、ペットの種類、体重に応じたベッド１を容易に構成することができる。
【００５０】
図示の例では、かかるベッド本体２の保持体３の側部の一部に、入れ込み凹部３ａに連通する側方開放部３ｂが形成してある。
【００５１】
これにより、図示の例にあっては、かかる側方開放部３ｂを利用してベッド本体２の上にペットが乗り込み易く、特に、老齢の犬猫などでもベッド本体２上に支障なく乗り込めるようになっている。
【００５２】
具体的には、図示の例にあっては、保持体３は、底部３ｃと、この底部３ｃの三辺を巡る側部３ｄとを有している。側部３ｄはこの底部３ｃの辺部から上方に向けて一体に突き出すように形成されている。そして、この側部３ｄが設けられていない底部３ｃの辺部側が前記側方開放部３ｂとなるようにしてある。
【００５３】
かかる保持体３は、例えば、高通気ウレタンなどの発泡プラスチックにより成形することができる。
【００５４】
図示の例では、保持体３の底部３ｃは半硬質ウレタンにより構成され、側部３ｄは高通気ウレタンにより構成されるようにしてある。
【００５５】
また、かかる保持体３も、図示の例では、ファスナーなどによって閉じられる開口部（図示は省略する。）を備えたカバー３ｅによってその外面を覆われるようになっている。
【００５６】
図示の例では、ベッド本体２は、このように構成される保持体３の入れ込み凹部３ａに対し、主クッション部１００の側を下にして入れ込まれるように構成されている。
【００５７】
図示の例では、かかるベッド本体２は、入れ込み凹部３ａの平面内郭形状に倣った平面外郭形状を有するように形成されている。
【００５８】
具体的には、ベッド本体２は、全体としてほぼ直方体をなすように組み合わされた複数のポケットコイル１０１、１０１…よりなる第一部分２ｂに対し、この第一部分２ｂの側部に高通気ウレタンよりなる第二部分２ｃを接着して主クッション部１００を形成させていると共に、この主クッション部１００の上面を覆うように通気クッション部２００を設けさせ、かつ、これらをカバー３００で覆うことにより構成されている。
【００５９】
【発明の効果】
この発明にかかるペット用ベッドによれば、ベッドにおける就寝時にペットに接する部分の通気性を適切に確保すると共に、ペットの本来の体型を崩すことなくベッド上においてペットを就寝させるようにすることができる。また、マイナスイオンを生じさせる物質を備えた発泡プラスチック製の内層によってペットの就寝時の環境を良好なものとすることができ、ペットの健康維持に好ましい影響を与えることができる。
【図面の簡単な説明】
【図１】ペット用ベッド１の一部破断斜視構成図
【図２】主クッション部１００の構成例の一つを示す斜視構成図
【図３】ペット用ベッド１の他の構成例を示す一部破断斜視構成図
【図４】ベッド本体２と保持体３とからなるペット用ベッド１の一例を構成するベッド本体２の分解斜視構成図
【図５】同ペット用ベッド１のベッド本体２の一部破断平面構成図
【図６】同ペット用ベッド１のベッド本体２の一部破断側面構成図
【図７】同ペット用ベッド１の保持体３の一部破断平面構成図
【図８】同ペット用ベッド１の保持体３の一部破断側面構成図
【図９】同ペット用ベッド１の斜視図
【符号の説明】
１　ベッド
１００　主クッション部
２００　通気クッション部
２０１　最上層
２０２　内層
３００　カバー
【図１】
2004016145.tif 000003
【図２】
2004016145.tif 000004
【図３】
2004016145.tif 000005
【図４】
2004016145.tif 000006
【図５】
2004016145.tif 000007
【図６】
2004016145.tif 000008
【図７】
2004016145.tif 000009
【図８】
2004016145.tif 000010
【図９】
2004016145.tif 000011